(57)【要約】【課題】  レンズの交換をスムーズに行うことが可能なカメラレンズ用ブロアーを提供する。【解決手段】  レンズへ吹き付けるエアーを供給するエアー供給部材３と、エアー供給部材３に取り付けられ、レンズの基端部が接続される接続部材５と、接続部材５に設けられる案内部材７とを備える。エアー供給部材３の上部１５は蛇腹形状とされ、上下に伸縮可能とされる。レンズの基端部を接続部材５に取り付けた状態でレンズＬを押し下げることで、エアー供給部材３内のエアーが接続部材５に設けられた留具９１の貫通穴９５から放出されてレンズに吹き付けられてレンズの埃などが取り除かれる。【選択図】  図２
2016095400.tif 000002
【特許請求の範囲】
【請求項１】
カメラレンズに吹き付けるエアーを供給するエアー供給部材と、
このエアー供給部材に設けられ、カメラレンズの基端部が取り付けられる接続部材と
を備えることを特徴とするカメラレンズ用ブロアー。
【請求項２】
前記エアー供給部材は、蛇腹状部を有し、この蛇腹状部の上端部に前記接続部材が設けられる
ことを特徴とする請求項１に記載のカメラレンズ用ブロアー。
【請求項３】
前記エアー供給部材は、下部材に対し上部材が上下動可能に設けられ、
前記上部材の上端部に前記接続部材が設けられる
ことを特徴とする請求項１に記載のカメラレンズ用ブロアー。
【請求項４】
前記下部材は、平面視略Ｄ字形の筒状とされ、
前記上部材は、平面視略Ｄ字形の筒状とされ、
前記下部材に前記上部材が上下動可能にはめ込まれる
ことを特徴とする請求項３に記載のカメラレンズ用ブロアー。
【請求項５】
前記接続部材には、カメラレンズの基端部を受け入れて、前記接続部材へ案内する案内部材が設けられる
ことを特徴とする請求項１から請求項４までのいずれかに記載のカメラレンズ用ブロアー。
【請求項６】
前記エアー供給部材は、フィルターを介して外気を取り込む
ことを特徴とする請求項１から請求項５までのいずれかに記載のカメラレンズ用ブロアー。
【請求項７】
請求項１から請求項６までのいずれかに記載のカメラレンズ用ブロアーが、前記接続部材を上方へ向けた状態で底部に取り付けられたことを特徴とする鞄。
【発明の詳細な説明】
【技術分野】
【０００１】
本発明は、カメラのレンズが着脱可能に取り付けられると共に、レンズから埃を取り除くためのカメラレンズ用ブロアーに関するものである。
【背景技術】
【０００２】
レンズが交換式となっているカメラの場合、レンズを交換する際、従来、ブロアーやブラシなどを用いて、レンズについた埃などを取り除いた後、交換している。特に、近年、デジタル方式のカメラが多くなっており、デジタルカメラは、そのカメラ本体内に、イメージセンサが設けられている。レンズ交換式のデジタルカメラの場合、レンズ交換の際、埃がカメラ本体内に侵入して、イメージセンサ面に埃が付着してしまうと、撮影した写真にその影が写りこみ、写真を台無しにしてしまうため、レンズ交換時の清掃が欠かせない。
【発明の概要】
【発明が解決しようとする課題】
【０００３】
ところで、従来、カメラのレンズを交換する場合、まず、カメラ本体に装着されたレンズを取り外し、このレンズにカバーを被せた後、レンズを鞄に収容する。そして、鞄から、交換用レンズを取り出して、そのレンズに装着されたカバーを取り外し、ブロアーでレンズの清掃を行い、レンズをカメラ本体に装着している。このように、従来は、レンズの交換に時間がかかってしまい、シャッターチャンスを逃すおそれがあった。
【０００４】
本発明が解決しようとする課題は、レンズの交換をスムーズに行うことが可能なカメラレンズ用ブロアーを提供することにある。
【課題を解決するための手段】
【０００５】
本発明は、前記課題を解決するためになされたもので、請求項１に記載の発明は、カメラレンズに吹き付けるエアーを供給するエアー供給部材と、このエアー供給部材に設けられ、カメラレンズの基端部が取り付けられる接続部材とを備えることを特徴とするカメラレンズ用ブロアーである。
【０００６】
請求項２に記載の発明は、前記エアー供給部材は、蛇腹状部を有し、この蛇腹状部の上端部に前記接続部材が設けられることを特徴とする請求項１に記載のカメラレンズ用ブロアーである。
【０００７】
請求項３に記載の発明は、前記エアー供給部材は、下部材に対し上部材が上下動可能に設けられ、前記上部材の上端部に前記接続部材が設けられることを特徴とする請求項１に記載のカメラレンズ用ブロアーである。
【０００８】
請求項４に記載の発明は、前記下部材は、平面視略Ｄ字形の筒状とされ、前記上部材は、平面視略Ｄ字形の筒状とされ、前記下部材に前記上部材が上下動可能にはめ込まれることを特徴とする請求項３に記載のカメラレンズ用ブロアーである。
【０００９】
請求項５に記載の発明は、前記接続部材には、カメラレンズの基端部を受け入れて、前記接続部材へ案内する案内部材が設けられることを特徴とする請求項１から請求項４までのいずれかに記載のカメラレンズ用ブロアーである。
【００１０】
請求項６に記載の発明は、前記エアー供給部材は、フィルターを介して外気を取り込むことを特徴とする請求項１から請求項５までのいずれかに記載のカメラレンズ用ブロアーである。
【００１１】
さらに、請求項７に記載の発明は、請求項１から請求項６までのいずれかに記載のカメラレンズ用ブロアーが、前記接続部材を上方へ向けた状態で底部に取り付けられたことを特徴とする鞄である。
【発明の効果】
【００１２】
本発明によれば、レンズの交換をスムーズに行うことが可能なカメラレンズ用ブロアーを提供することができる。
【図面の簡単な説明】
【００１３】
【図１】本発明のカメラレンズ用ブロアーの実施例１を示す斜視図である。
【図２】図１のカメラレンズ用ブロアーの概略縦断面図である。
【図３】図１のカメラレンズ用ブロアーの一部を破断すると共に、一部を分解した斜視図である。
【図４】図１のカメラレンズ用ブロアーの分解斜視図である。
【図５】カメラレンズの一例を示す斜視図である。
【図６】図１のカメラレンズ用ブロアーが鞄内に収容された状態を示す図である。
【図７】図１のカメラレンズ用ブロアーの使用方法を示す図であり、（ａ）はレンズをカメラレンズ用ブロアーに取り付けようとしている状態を示し、（ｂ）はレンズがカメラレンズ用ブロアーに取り付けられた状態を示している。
【図８】図１のカメラレンズ用ブロアーの使用方法を示す図であり、（ｃ）は、図７（ｂ）の状態からレンズを下方へ押し込んだ状態を示す図であり、（ｄ）は（ｃ）の状態からレンズを上方へ引き上げている状態を示す図である。
【図９】本発明のカメラレンズ用ブロアーの実施例２を示す斜視図である。
【図１０】図９のカメラレンズ用ブロアーの概略縦断面図である。
【図１１】図９のカメラレンズ用ブロアーの分解斜視図である。
【図１２】図９の状態からエアー供給部材が収縮した状態を示す図である。
【図１３】図１２のカメラレンズ用ブロアーの概略縦断面図である。
【発明を実施するための形態】
【００１４】
以下、本発明のカメラレンズ用ブロアーの実施例について図面に基づいて具体的に説明する。
【実施例１】
【００１５】
図１は、本発明のカメラレンズ用ブロアーの実施例１を示す斜視図である。図２は、図１のカメラレンズ用ブロアーの概略縦断面図である。
図３は、図１のカメラレンズ用ブロアーの一部を破断すると共に、一部を分解した斜視図である。図４は、図１のカメラレンズ用ブロアーの分解斜視図である。
【００１６】
本実施例１のカメラレンズ用ブロアー１は、レンズへ吹き付けるエアーを供給するエアー供給部材３と、このエアー供給部材３に取り付けられ、レンズの基端部が接続される接続部材５と、この接続部材５に設けられる案内部材７とを主要部に備える。
【００１７】
エアー供給部材３は、矩形板状の台座９に載せ置かれて固定されている。
エアー供給部材３は、中空状に形成されており、その下部１３が略筒形状とされ、上部１５が蛇腹形状とされ、上部１５は、上下に伸縮可能とされる。
エアー供給部材３の上端部および下端部は、それぞれ水平に設けられる板状の上壁１７および下壁１９により塞がれている。
【００１８】
エアー供給部材３の下部１３は、円筒体の外周部の一部が垂直に切り欠かれた形状とされており、その垂直壁２５には、貫通穴２５ａが２つ形成されている。
【００１９】
そして、エアー供給部材３の下部１３の垂直壁２５には、流入部材３１が２つ取り付けられている。
【００２０】
流入部材３１は、エアー供給部材３の下部１３の垂直壁２５に固定される支持部３３と、この支持部３３に取り付けられる流入口部３５と、外部からエアー供給部材３内へのエアーの通過を可能とする一方、エアー供給部材３から外部へのエアーの通過を阻止する弁３７と、を備える。
【００２１】
支持部３３は、円筒状とされ、軸線を水平に配置して、その内穴３３ａが垂直壁２５の貫通穴２５ａと連通するように、その基端部が垂直壁２５に固定されている。
【００２２】
流入口部３５は、円柱形状とされ、その先端部４１が、縮径して段付きに形成されている。また、流入口部３５には、軸方向に沿って、段付きの貫通穴４３が形成されている。
具体的には、流入口部３５には、基端部４５に基端側へ開口する第一穴４７が形成され、先端部４１に先端側へ開口し、第一穴４７より小径な第二穴４９が形成されており、軸方向中途部には、第一穴４７と第二穴４９とを連通するように、第二穴４９より小径な第三穴５１が形成されている。
【００２３】
流入口部３５は、その軸線を水平に配置して、弁３７を内部に収容した状態で、その基端部４５が、支持部３３の先端部にはめ込まれて設けられる。
【００２４】
弁３７は、円板形状とされ、その中心部には、円形状に一部を残して切り込みが形成されており、この円形状部が弁体部５３とされる。また、弁体部５３の残部５３ａの表面は凹んで形成されており、厚みが薄く形成されている。
【００２５】
弁３７は、その外周部が、支持部３３の先端部と流入口部３５の段付き部とに挟み込まれて固定される。
【００２６】
弁体部５３は、支持部３３の内穴３３ａより小径とされる一方、流入口部３５の第三穴５１より大径とされる。本実施例では、弁３７は、逆止弁とされる。具体的には、外部からエアー供給部材３内へエアーが通過しようとすると、弁体部５３がエアー供給部材３側へ湾曲することで、エアーの通過は可能とされる一方、エアー供給部材３内から外部へエアーが通過しようとすると、弁体部５３が、流入口部３５の第三穴５１を塞ぐことで、エアーの通過が阻止される。
【００２７】
流入口部３５の先端部に、フィルター５７が設けられる。本実施例では、フィルター５７は、フェルトなどの不織布により円柱形状に形成されており、流入口部３５の第二穴４９にはめ込まれて設けられる。
【００２８】
エアー供給部材３の上壁１７の中央部には、貫通穴６１が上下に沿って形成されている。また、エアー供給部材３の上壁１７には、貫通穴６１を取り囲むように、上方へ突出して、円筒状の凸部６３が、周方向等間隔に離隔して３つ形成されている。凸部６３の内穴は、ネジ穴とされている。
【００２９】
エアー供給部材３の上端部に、接続部材５が設けられる。
【００３０】
接続部材５は、上方へ開口する円筒状とされ、その底壁の中央部には、下方へ円柱状に突出して差込部６７が形成されている。
この差込部６７の中央部には、上方へ開口する凹部６９が下方へ凹んで形成されており、さらに、この凹部６９の底壁、つまり差込部６７の下端部には、上下に沿って貫通穴７１が形成されている。
【００３１】
接続部材５は、その差込部６７の外周部に円環状のパッキン７５がはめ込まれた状態で、差込部６７がエアー供給部材３の上壁１７の貫通穴６１にはめ込まれて、エアー供給部材３の上端部に載せ置かれる。そして、接続部材５の底壁に形成された貫通穴７７を介して、ネジ７９がエアー供給部材３の凸部６３にねじ込まれて、接続部材５がエアー供給部材３に固定される。本実施例では、エアー供給部材３の凸部６３の上端部６３ａは、縮径して形成されており、その上端部６３ａは、接続部材５の貫通穴７７内にはめ込まれている。パッキン７５は、エアー供給部材３と接続部材５との空間を埋めるように配置される。
【００３２】
接続部材５の凹部６９に、弁８３が設けられる。
【００３３】
弁８３は、円板形状とされ、その中心部には、円形状に一部を残して切り込みが形成されており、この円形状部が弁体部８５とされる。また、弁体部８５の残部８５ａの下面は凹んで形成されており、厚みが薄く形成されている。
【００３４】
接続部材５の凹部６９内に弁８３が配置された状態で、凹部６９内に留具９１が設けられる。
【００３５】
留具９１は、下方へ開口する円筒形状とされ、その上壁９３の中央部には、上下に沿って貫通穴９５が形成されている。
【００３６】
留具９１の外径は、凹部６９の径に対応しており、留具９１は凹部６９にはめ込まれて設けられる。留具９１が凹部６９にはめ込まれた状態では、留具９１の上面は、接続部材５の底壁と面一に配置される。
【００３７】
弁８３は、その外周部が、留具９１と差込部６７とに挟み込まれて凹部６９内に取り付けられる。本実施例では、弁体部８５は、差込部６７の貫通穴７１より大径とされ、逆止弁とされる。
具体的には、エアー供給部材３から接続部材５へエアーが通過しようとすると、弁体部８５が上方へ湾曲することで、エアーの通過が可能とされる一方、接続部材５からエアー供給部材３へエアーが通過しようとすると、弁体部８５が差込部６７の貫通穴７１を塞ぐことで、エアーの通過が阻止される。
【００３８】
接続部材５には、カメラレンズの基端部が着脱可能に装着される構造が採用されている。つまり、接続部材５には、カメラ本体へのレンズの装着構造と対応した構成が採用されている。
【００３９】
図５は、カメラレンズの一例を示す斜視図である。
【００４０】
たとえば、株式会社ニコン製のレンズＬの場合、図５に示すように、その基端部には、断面矩形状の凹溝９６が外周部に沿って、環状に形成されている。この凹溝９６の下部には、径方向外側へ矩形板状に突出して鍔部９７が形成されており、この鍔部９７には、周方向等間隔に離隔して、矩形状の切欠き部９８が３つ形成されている。
【００４１】
そして、接続部材５には、レンズＬの基端部が係合可能とされる被係合部９９が形成されている。本実施例では、接続部材５の内周面に、周方向等間隔に離隔して、略Ｌ字形の被係合部９９が３つ形成されている。
具体的には、接続部材５の内周面には、上下に沿う第一棒部１０１と、この第一棒部１０１の上端部から内周面に沿って直角に延出する第二棒部１０３とにより構成される略Ｌ字形の被係合部９９が３つ形成されている。第二棒部１０３は、レンズＬの基端部の切欠き部９８より周方向の長さが若干短く形成されている。
【００４２】
図４に示すように、接続部材５の上部には、径方向外側へ突出して鍔部１０７が形成されている。この鍔部１０７には、周方向に等間隔に離隔して、矩形状の切欠き部１０７ａが３つ形成されている。
【００４３】
さらに、接続部材５の上端部には、切欠き部１０９が形成されている。図示例では、略半円形状の切欠き部１０９が、周方向等間隔に離隔して、３つ形成されている。
【００４４】
案内部材７は、円筒状とされ、その上端部７ａは、上方へ行くにしたがって拡径して円錐台状に形成されている。
【００４５】
また、案内部材７の下端部には、径方向内側へ水平に突出して円環状の突出部１２１が形成されている。
【００４６】
さらに、案内部材７の下端部には、下方へ突出して引掛け部１２３が、周方向等間隔に離隔して、３つ形成されている。
具体的には、引掛け部１２３は、案内部材７の下端部から矩形板状に突出して形成されており、その下端部１２５は、内側へ三角形状に膨出して形成されている。
また、引掛け部１２３の上端部の両側部と、案内部材７の周側壁との間には、隙間Ｓが形成されており、引掛け部１２３は弾性変形可能とされている。引掛け部１２３の幅寸法は、接続部材５の切欠き部１０７ａに対応している。
【００４７】
案内部材７は、接続部材５に対して下方へ押し込んで装着される。
具体的には、案内部材７は、その引掛け部１２３が、鍔部１０７の切欠き部１０７ａに対応するように接続部材５に対して周方向に位置決めがなされた状態で、接続部材５に対して下方へ押し込まれる。
これにより、案内部材７の引掛け部１２３が弾性変形して、引掛け部１２３の下端部１２５が接続部材５の鍔部１０７を乗り越えて、鍔部１０７に引っ掛かる。
また、この際、案内部材７の突出部１２１が、接続部材５の鍔部１０７に載せ置かれ、接続部材５の鍔部１０７を案内部材７の突出部１２１と引掛け部１２３の下端部１２５とで挟み込んで、案内部材７が接続部材５に着脱可能に取り付けられる。
本実施例１では、引掛け部１２３が、接続部材５の切欠き部１０７ａに配置されることで、案内部材７は、接続部材５に対して周方向の回転が規制される。
【００４８】
図６は、図１のカメラレンズ用ブロアーが鞄内に収容された状態を示す図である。
【００４９】
本実施例のカメラレンズ用ブロアー１は、たとえば、図６に示すように、鞄Ｂ内に収容されて使用される。図示例では、台座９が、鞄Ｂの底に載せ置かれて固定される。また、鞄Ｂ内は複数の矩形状の区画に仕切られており、この仕切られた各区画内にカメラレンズ用ブロアー１が取り付けられており、図示例では、鞄Ｂ内に、３つのカメラレンズ用ブロアー１が収容されている。
【００５０】
次に、本実施例のカメラレンズ用ブロアー１を使用してレンズを交換する方法について説明する。
【００５１】
図７および図８は、図１のカメラレンズ用ブロアーの使用方法を示す図であり、図７（ａ）はレンズをカメラレンズ用ブロアーに取り付けようとしている状態を示し、図７（ｂ）はレンズがカメラレンズ用ブロアーに取り付けられた状態を示している。
また、図８（ｃ）は、図７（ｂ）の状態からレンズを下方へ押し込んだ状態を示す図であり、図８（ｄ）は図８（ｃ）の状態からレンズを上方へ引き上げている状態を示す図である。
【００５２】
まず、予め、交換用のレンズＬをカメラレンズ用ブロアー１に取り付けておく。
具体的には、レンズＬを接続部材５に装着する際には、図７の（ａ）に示すように、レンズＬの基端部の切欠き部９８と、第二棒部１０３とを上下に沿うように位置を合わせて、レンズＬを接続部材５に差し込む。そして、レンズＬを周方向に回転させることで、レンズＬの凹溝９６に第二棒部１０３が入り込み、図７の（ｂ）に示すように、レンズＬが接続部材５に装着される。なお、第一棒部１０１がレンズＬの鍔部９７に当接することで、所定以上の回転が規制される。
【００５３】
本実施例では、接続部材５の上端部に、上方へ行くにしたがって拡径する案内部材７が設けられていることで、レンズＬの基端部を案内部材７に沿わすように挿入することで、レンズは接続部材５へ誘導されて、容易に装着することが可能である。
【００５４】
このように予備のレンズＬをカメラレンズ用ブロアー１に予め装着しておき、レンズを交換する際、まず、カメラ本体に装着されたレンズを取り外し、レンズが装着されていない鞄Ｂ内のカメラレンズ用ブロアー１に取り付ける。
そして、図８の（ｃ）に示すように、予めカメラレンズ用ブロアー１に取り付けられた交換用のレンズＬを下方に押し込む。
これにより、エアー供給部材３の蛇腹状の上部１５が収縮し、上部１５内のエアーが、接続部材５の貫通穴７１を介して留具９１内に進入し、さらに、留具９１の貫通穴９５から上方へ通過して、レンズＬの下面にエアーが吹き付けられる。このエアーにより、レンズＬに付着した埃などが除去される。
【００５５】
次に、図８の（ｄ）に示すように、レンズＬを引き上げて、エアー供給部材３の蛇腹状の上部１５を伸長させる。これにより、流入口部３５を介して外部のエアーがエアー供給部材３内に取り込まれる。
このように、レンズＬを上下に複数回往復動させて、エアー供給部材３の蛇腹状の上部１５を伸縮させることで、レンズＬにエアーが吹き付けられ、レンズの埃などを除去することができる。
【００５６】
本実施例では、接続部材５内に進入したエアーは、接続部材５の切欠き部１０９を介して、外部へ排出されることで、エアーがスムーズに流れる。
【００５７】
清掃が完了したレンズは、接続部材５に対して回転させて上方へ引き上げることで、接続部材５から取り外すことができ、カメラ本体に装着すればよい。
【００５８】
本実施例１では、カメラレンズ用ブロアー１に装着されたレンズを上下動させることで、レンズの埃を取り除くことができ、レンズの交換をスムーズに行うことができる。
【実施例２】
【００５９】
次に、本発明のカメラレンズ用ブロアーの実施例２について説明する。
【００６０】
図９は、本発明のカメラレンズ用ブロアーの実施例２を示す斜視図であり、エアー供給部材が伸長した状態を示している。図１０は図９の概略縦断面図である。図１１は、図９のカメラレンズ用ブロアーの分解斜視図である。
【００６１】
本実施例２のカメラレンズ用ブロアー１は、基本的には前記実施例１のカメラレンズ用ブロアー１と同様の構成である。そこで、以下においては、両者の異なる部分を中心に説明し、対応する箇所には同一符号を付して説明する。
【００６２】
本実施例２では、エアー供給部材３の構造が、前記実施例１と異なっている。
具体的には、本実施例２におけるエアー供給部材３は、台座９に載せ置かれて固定される下部材２０１と、この下部材２０１に上下動可能に設けられる上部材２０３とを主要部に備える。
【００６３】
下部材２０１は、円筒体の外周部の一部が垂直に切り欠かれた形状とされており、平面視略Ｄ字状とされる。下部材２０１の垂直壁２０７には、前記実施例１と同様に流入部材３１が２つ取り付けられている。下部材２０１は、その下端部から径方向外側へ突出して矩形状の取付片２０９が形成されている。
【００６４】
下部材２０１は、その垂直壁２０７の上端部が上方へ突出すると共に、その突出部は下部材２０１の径方向内側（垂直壁２０７の上端辺に垂直）に突出して突出部２１３が形成されている。
【００６５】
上部材２０３は、下方へ開口する円筒体の外周部の一部が垂直に切り欠かれた形状とされており、平面視略Ｄ字状とされる。
上部材２０３は、その垂直壁２１５の上方の設定領域が、径方向内側へ凹んで形成されており、垂直壁２１５は、段付きに形成されている。
【００６６】
上部材２０３の下端部の外周面には、径方向内側へ凹んで凹溝２１９が周方向に沿って環状に形成されている。
この凹溝２１９には、パッキン２２１がはめ込まれて装着される。
【００６７】
上部材２０３の上壁２２３には、前記実施例のエアー供給部材３の上壁１７と同様に、その中央部に、円形の貫通穴６１が形成されており、さらに、その貫通穴６１を取り囲むように、円筒状の凸部６３が、周方向等間隔に離隔して３つ形成されている。
【００６８】
上部材２０３は、下部材２０１に下方からはめ込まれて設けられる。
この際、各部材２０１，２０３の垂直壁２０７，２１５同士が対応する位置に配置されるように、下部材２０１に上部材２０３が取り付けられる。
【００６９】
下部材２０１に上部材２０３が設けられた状態では、上部材２０３は、下部材２０１に対して上下に移動可能とされる。その一方、上部材２０３は、その垂直壁２１５の段部２３５が、下部材２０１の突出部２１３に当接することで、所定以上の上方への移動が規制される。また、各部材２０１，２０３同士の垂直壁２０７，２１５同士が重ね合わされることで、下部材２０１に対する上部材２０３の回転が規制される。
【００７０】
また、下部材２０１の内周面と上部材２０３の下端部外周面との隙間をパッキン２２１が埋めている。
【００７１】
下部材２０１に上部材２０３が取り付けられた状態で、下部材２０１は、台座９に載せ置かれて台座９に固定される。
【００７２】
上部材２０３の上壁２２３に、前記実施例１と同様に、接続部材５が載せ置かれて固定され、この接続部材５に、案内部材７が取り付けられる。
【００７３】
図１２は、図９の状態からエアー供給部材が、収縮した状態を示しており、図１３は図１２の概略縦断面図である。
【００７４】
このような構成の本実施例２のカメラレンズ用ブロアーは、前記実施例１と同様、レンズを接続部材５に装着した状態で、レンズを上下に移動させることで、上部材２０３が下部材２０１に対して上下動する。
具体的には、図９に示すように、上部材２０３が上方位置に配置された状態から、レンズを下方へ押し込んで、図１２に示すように、上部材２０３を下部材２０１に対して下方へ移動させることで、エアー供給部材３内のエアーが、接続部材５の貫通穴７１を介して留具９１内に進入し、さらに、留具９１の貫通穴９５から上方へ通過して、レンズＬの下面にエアーが吹き付けられる。このエアーにより、レンズＬに付着した埃などが除去される。
【００７５】
そして、レンズを引き上げて、上部材２０３を下部材２０１に対して上方へ移動させると、流入口部３５を介して外部のエアーがエアー供給部材３内に取り込まれる。
このように、上記実施例１と同様、レンズを上下に往復動させて、上部材２０３を下部材２０１に対して上下に往復動させることで、レンズにエアーが吹き付けられ、レンズの埃などを除去することができる。
【００７６】
本発明のカメラレンズ用ブロアーは、上記各実施例の構成に限らず、適宜変更可能である。たとえば、上記各実施例では、留具９１の貫通穴９５は１つとしたが、複数形成してもよい。また、上記各実施例では、流入部材３１は２つ設けられたが、１つまたは３つ以上としてもよい。
【００７７】
また、上記各実施例において、案内部材７の設置を省略してもよい。
【００７８】
また、上記実施例では、鞄Ｂ内に３つのカメラレンズ用ブロアー１を収容したが、その個数は適宜変更可能である。
【００７９】
また、上記各実施例では、鞄に固定して使用したが、テーブルなど他のものに固定して使用してもよく、さらには、固定せずに使用しても構わない。
【００８０】
また、上記各実施例では、株式会社ニコン製のカメラレンズが装着される場合について説明したが、その他のメーカーのレンズを装着することも可能であり、その場合、接続部材５の被係合部９９の構造を、各メーカーのレンズが装着可能な構造に変更すればよい。
【００８１】
さらに、上記実施例１では、エアー供給部材３の蛇腹状の上部１５を伸縮させてエアーをレンズに吹き付ける構成とし、上記実施例２では、下部材２０１に対して上部材２０３を上下動させてエアーをレンズに吹き付ける構成としたが、接続部材５にポンプを接続して、自動で接続部材５にエアーを供給して、レンズにエアーを吹き付ける構成としてもよい。
【符号の説明】
【００８２】
１  カメラレンズ用ブロアー
３  エアー供給部材
５  接続部材
７  案内部材
【図１】
2016095400.tif 000003
【図２】
2016095400.tif 000004
【図３】
2016095400.tif 000005
【図４】
2016095400.tif 000006
【図５】
2016095400.tif 000007
【図６】
2016095400.tif 000008
【図７】
2016095400.tif 000009
【図８】
2016095400.tif 000010
【図９】
2016095400.tif 000011
【図１０】
2016095400.tif 000012
【図１１】
2016095400.tif 000013
【図１２】
2016095400.tif 000014
【図１３】
2016095400.tif 000015